(57)【要約】【課題】    排水性や止水性を十分確保しながら共通化した下枠構成部材を用いてタイプ別の下枠が構成可能な建具および建具の施工方法を提供すること。【解決手段】利用者の要望や設計条件に応じて、レール部材３０およびレール間上面部材３２を下枠本体１２１に取り付けて上面の溝幅を小さくしたフラットタイプの下枠１２を構成したり、これらの各部材を取り付けずに下枠本体１２１のみで下枠を構成したりが可能であり、下枠本体１２１を共通化して引違い窓のバリエーションを増やすことができる。そして、下枠１２上面をフラット化した場合には、レール間上面部材３２や一対のレール部材３０等の各部材がそれぞれ別体で構成されていることから、排水開口の加工作業がしやすく、その加工位置が制限されないので、排水性や止水性を高めることができる。【選択図】  図３
2007016516.tif 000002
【特許請求の範囲】
【請求項１】
上枠、下枠、および左右の縦枠を有する窓枠と、この窓枠内側に開閉自在に支持される少なくとも室内外一対の障子とを備えた建具であって、
室内外一対のレール部を有した下枠本体と、
（ａ）前記下枠本体の一対のレール部間に取付可能かつ当該下枠の上面を形成可能な下枠上面部材と、
（ｂ）前記レール部の上方で前記下枠上面部材と略同一高さ位置に当該下枠上面部材との間に隙間を介して取付可能な一対のレール部材と、が予め用意され、
前記下枠本体に前記（ａ）の下枠上面部材および前記（ｂ）のレール部材を取り付けないで前記下枠が構成され、かつ当該下枠本体のレール部で前記障子の戸車が案内される、または
前記下枠本体に前記（ａ）の下枠上面部材および前記（ｂ）のレール部材を取り付けて前記下枠が構成され、かつ当該レール部材で前記障子の戸車が案内される建具。
【請求項２】
前記下枠本体は、
（Ａ）前記一対のレール部の上端が互いに略同一高さ位置に形成された下枠本体、および
（Ｂ）前記一対のレール部のうち、室外側のレール部の上端が室内側のレール部の上端よりも低い位置に形成された下枠本体
のいずれか一方からなる請求項１に記載の建具。
【請求項３】
前記下枠本体は、
（Ａ）前記一対のレール部の上端が互いに略同一高さ位置に形成された下枠本体、および
（Ｂ）前記一対のレール部のうち、室外側のレール部の上端が室内側のレール部の上端よりも低い位置に形成された下枠本体
のいずれか一方からなり、
（ｃ）前記室外側のレール部の上側に取付可能、かつ前記室外側のレール部材を支持可能な中間支持部材が予め用意され、
前記（Ａ）の下枠本体に前記（ａ）の下枠上面部材および前記（ｂ）のレール部材を取り付けないで前記下枠が構成され、かつ当該下枠本体のレール部で前記障子の戸車が案内される、
前記（Ｂ）の下枠本体に前記（ａ）の下枠上面部材および前記（ｂ）のレール部材を取り付けないで前記下枠が構成され、かつ当該下枠本体のレール部で前記障子の戸車が案内される、
前記（Ａ）の下枠本体に前記（ａ）の下枠上面部材および前記（ｂ）のレール部材を取り付けて前記下枠が構成され、かつ当該レール部材で前記障子の戸車が案内される、または
前記（Ｂ）の下枠本体に前記（ａ）の下枠上面部材、前記（ｂ）のレール部材および前記（ｃ）の中間支持部材を取り付けて前記下枠が構成され、かつ当該レール部材で前記障子の戸車が案内される請求項１に記載の建具。
【請求項４】
前記障子の下端には下方に延びる垂下片が形成され、前記（ｂ）のレール部材における室外側および室内側の少なくとも一方の側面には、気密材が取り付けられており、
前記障子は、
（Ｘ）前記垂下片に気密材が取り付けられた障子、および
（Ｙ）前記垂下片の内側面が平坦に形成された障子
のいずれか一方からなり、
前記下枠本体に前記（ｂ）のレール部材を取り付けないで前記下枠が構成された場合には、当該下枠本体のレール部に前記（Ｘ）の障子が支持され、かつ当該レール部の側面に前記垂下片の気密材が当接し、
前記下枠本体に前記（ｂ）のレール部材を取り付けて前記下枠が構成された場合には、当該レール部材に前記（Ｙ）の障子が支持され、かつ当該レール部材の気密材に前記垂下片の内側面が当接する請求項１から請求項３のいずれかに記載の建具。
【請求項５】
前記下枠本体における前記室外側のレール部よりも室外側には、網戸レール部が形成されており、
（ｄ）前記網戸レール部の上側で前記下枠上面部材と略同一高さ位置に取付可能な網戸レール部材が予め用意され、
前記下枠本体に前記（ａ）の下枠上面部材および前記（ｂ）のレール部材を取り付けないで前記下枠が構成された場合には、当該下枠本体の網戸レール部に網戸が支持され、
前記下枠本体に少なくとも前記（ａ）の下枠上面部材および前記（ｂ）のレール部材を取り付けて前記下枠が構成された場合には、前記網戸レール部の上側に前記（ｄ）の網戸レール部材を取り付けて、当該網戸レール部材に網戸が支持される請求項１から請求項４のいずれかに記載の建具。
【請求項６】
上枠、下枠、および左右の縦枠を有する窓枠と、この窓枠内側に開閉自在に支持される少なくとも室内外一対の障子とを備えた建具の施工方法であって、
室内外一対のレール部を有した下枠本体と、
（ａ）前記下枠本体の一対のレール部間に取付可能かつ当該下枠の上面を形成可能な下枠上面部材と、
（ｂ）前記レール部の上方で前記下枠上面部材と略同一高さ位置に当該下枠上面部材との間に隙間を介して取付可能な一対のレール部材と、を用意する工程と、
前記下枠を構成する部材として、前記下枠本体と、前記下枠本体、前記（ａ）の下枠上面部材および前記（ｂ）のレール部材と、のいずれかを選択する工程と、
前記上枠および左右の縦枠と、前記選択された下枠とを組み立てて前記窓枠を形成する工程とを備えた建具の施工方法。
【請求項７】
前記下枠本体は、
（Ａ）前記一対のレール部の上端が互いに略同一高さ位置に形成された下枠本体、および
（Ｂ）前記一対のレール部のうち、室外側のレール部の上端が室内側のレール部の上端よりも低い位置に形成された下枠本体
のいずれか一方からなる請求項６に記載の建具の施工方法。
【請求項８】
上枠、下枠、および左右の縦枠を有する窓枠と、この窓枠内側に開閉自在に支持される少なくとも室内外一対の障子とを備えた建具の施工方法であって、
（Ａ）室内外一対のレール部を有し、これら一対のレール部の上端が互いに略同一高さ位置に形成された下枠本体と、
（Ｂ）室内外一対のレール部を有し、これら一対のレール部のうち、室外側のレール部の上端が室内側のレール部の上端よりも低い位置に形成された下枠本体と、を用意する工程と、
（ａ）前記下枠本体の一対のレール部間に取付可能かつ当該下枠の上面を形成可能な下枠上面部材と、
（ｂ）前記レール部の上方で前記下枠上面部材と略同一高さ位置に当該下枠上面部材との間に隙間を介して取付可能な一対のレール部材と、
（ｃ）前記室外側のレール部の上側に取付可能、かつ前記室外側のレール部材を支持可能な中間支持部材と、を用意する工程と、
前記下枠を構成する部材として、前記（Ａ）の下枠本体と、前記（Ｂ）の下枠本体と、前記（Ａ）の下枠本体、前記（ａ）の下枠上面部材および前記（ｂ）のレール部材と、前記（Ｂ）の下枠本体、前記（ａ）の下枠上面部材、前記（ｂ）のレール部材および前記（ｃ）の中間支持部材と、のいずれかを選択する工程と、
前記上枠および左右の縦枠と、前記選択された下枠とを組み立てて前記窓枠を形成する工程とを備えた建具の施工方法。
【請求項９】
前記障子の下端には下方に延びる垂下片が形成され、前記（ｂ）のレール部材における室外側および室内側の少なくとも一方の側面には、気密材が取り付けられており、
（Ｘ）前記垂下片に気密材が取り付けられた障子と、
（Ｙ）前記垂下片の内側面が平坦に形成された障子と、を用意する工程を備え、
前記下枠本体に前記（ａ）の下枠上面部材および前記（ｂ）のレール部材を取り付けないで前記下枠を構成した場合には、前記（Ｘ）の障子を選択して前記窓枠に組み込むとともに、当該下枠本体のレール部の側面に前記垂下片の気密材を当接させ、
前記下枠本体に前記（ｂ）のレール部材を取り付けて前記下枠を構成した場合には、前記（Ｙ）の障子を選択して前記窓枠に組み込むとともに、当該（ｂ）のレール部材の気密材に前記垂下片の内側面を当接させる請求項６から請求項８のいずれかに記載の建具の施工方法。
【発明の詳細な説明】
【技術分野】
【０００１】
本発明は、引違い窓等の建具、および建具の施工方法に関する。
【背景技術】
【０００２】
住宅等のテラスやバルコニー等に面した外壁位置には、居住者が室内からテラス等に出入りするための掃出し窓が設けられている。このような掃出し窓としては、外壁に固定された窓枠と、この窓枠内にスライド自在に支持された可動障子とを備えた、引違い窓等のサッシ窓（建具）が一般的である。
このサッシ窓として、従来、下枠の止水性や排水性を考慮して、室外側のレールが室内側のレールよりも低い位置に階段状に設けられた階段状タイプの掃出し窓の構造と、居住者の高齢化や車いす利用者の利便性等に配慮して、下枠上面をフラット化したバリアフリータイプの掃出し窓の構造とがある。
そこで、階段状タイプの下枠とバリアフリータイプの下枠とのようにタイプの異なる下枠を、共通部材を用いて構成した掃出し窓として、例えば、階段状タイプの下枠を利用したバリアフリータイプの掃出し窓がある（例えば、特許文献１参照）。
【０００３】
特許文献１に記載された下枠の改装構造は、階段状のレールを有した既存の下枠の上側を覆って取り付けられて下枠上面をフラット化するアタッチメントを備えて構成されている。そして、アタッチメントは、底面と、この底面から上方に突出して室内外の障子を案内する室内外のレール、網戸レール、およびその他の突起とを一体的に有して形成されており、これらのレール、網戸レールおよび突起の上端が略同一の高さ位置に揃えられている。従って、アタッチメントの上面には、室内外のレールと網戸レールとその他の突起との間隔によって大きな幅の溝が生じる、それらの上端がほぼフラットで段差が小さくなっているため、居住者や車いすは下枠上をスムーズに通過することができるようになっている。
【０００４】
【特許文献１】実登第２５０８２５５号公報
【発明の開示】
【発明が解決しようとする課題】
【０００５】
しかしながら、前記特許文献１に記載の下枠フラット化構造では、レールや網戸レール等と底面とで形成されるアタッチメントの凹溝に溜まった雨水等を排水するためには、アタッチメントの底部側に排水孔等を設けるための加工が必要になるが、室内外のレール、網戸レールおよびその他の突起が一体的に形成されたアタッチメントの底部側に排水孔を加工するとなると、その排水孔を設ける位置によっては加工作業が難しくなるため、排水孔を設ける位置が制限されることから、十分な排水性が得られないおそれがある。特に、近年、下枠の上面によりフラット感を出すために、下枠の上面に略フラットな平面部を形成して下枠上面に生じる溝幅を小さくする傾向があるが、前記アタッチメントの上端部に略フラットな平面部を形成して下枠上面の溝幅を小さくするとなると、前述した排水孔の加工作業がさらに困難となるおそれがある。一方、排水孔の加工作業をしやすくするために前記凹溝の深さを浅くすると、凹溝に浸入した雨水等がアタッチメント上面を越えて室内側に浸入しやすくなって止水性が低下してしまう。
以上のように、従来の改装構造のようにして、共通化した下枠構成部材を用いてタイプ別にサッシ窓を構成した場合では、下枠における十分な排水性や止水性を確保することが困難であるという問題がある。
【０００６】
本発明の目的は、排水性や止水性を十分確保しながら共通化した下枠構成部材を用いてタイプ別の下枠が構成可能な建具および建具の施工方法を提供することにある。
【課題を解決するための手段】
【０００７】
本発明の建具は、上枠、下枠、および左右の縦枠を有する窓枠と、この窓枠内側に開閉自在に支持される少なくとも室内外一対の障子とを備えた建具であって、室内外一対のレール部を有した下枠本体と、（ａ）前記下枠本体の一対のレール部間に取付可能かつ当該下枠の上面を形成可能な下枠上面部材と、（ｂ）前記レール部の上方で前記下枠上面部材と略同一高さ位置に当該下枠上面部材との間に隙間を介して取付可能な一対のレール部材と、が予め用意され、  前記下枠本体に前記（ａ）の下枠上面部材および前記（ｂ）のレール部材を取り付けないで前記下枠が構成され、かつ当該下枠本体のレール部で前記障子の戸車が案内される、または前記下枠本体に前記（ａ）の下枠上面部材および前記（ｂ）のレール部材を取り付けて前記下枠が構成され、かつ当該レール部材で前記障子の戸車が案内されることを特徴とする。
【０００８】
以上の本発明によれば、利用者の要望や設計条件に応じて、下枠本体に（ａ）の下枠上面部材および（ｂ）のレール部材を取り付けることでレール部材間に生じる溝幅を下枠上面部材によって小さくしたフラットタイプの下枠を構成したり、下枠本体のみで下枠を構成したりすることが可能であり、下枠本体を共通化して建具のバリエーションを増やすことができる。また、下枠本体に（ａ）の下枠上面部材および（ｂ）のレール部材を取り付けて下枠をフラット化した場合において、（ａ）の下枠上面部材と（ｂ）の一対のレール部材とがそれぞれ別体的に構成されていることから、排水開口の加工作業がしやすく排水開口の加工位置が制限されないので、排水性や止水性の高い建具とすることができる。また、下枠本体のレール部間に下枠上面部材を取り付けるとともに、この下枠上面部材とレール部材との隙間を必要最小限に設定することで、下枠上面を足で踏んだ際の違和感や車いすで通過する際のがたつきを低減して、下枠のフラット感を一層高めることができる。
【０００９】
この際、本発明の建具では、前記下枠本体は、（Ａ）前記一対のレール部の上端が互いに略同一高さ位置に形成された下枠本体、および（Ｂ）前記一対のレール部のうち、室外側のレール部の上端が室内側のレール部の上端よりも低い位置に形成された下枠本体のいずれか一方からなることが好ましい。
また、本発明の建具では、前記下枠本体は、（Ａ）前記一対のレール部の上端が互いに略同一高さ位置に形成された下枠本体、および（Ｂ）前記一対のレール部のうち、室外側のレール部の上端が室内側のレール部の上端よりも低い位置に形成された下枠本体のいずれか一方からなり、（ｃ）前記室外側のレール部の上側に取付可能、かつ前記室外側のレール部材を支持可能な中間支持部材が予め用意され、前記（Ａ）の下枠本体に前記（ａ）の下枠上面部材および前記（ｂ）のレール部材を取り付けないで前記下枠が構成され、かつ当該下枠本体のレール部で前記障子の戸車が案内される、前記（Ｂ）の下枠本体に前記（ａ）の下枠上面部材および前記（ｂ）のレール部材を取り付けないで前記下枠が構成され、かつ当該下枠本体のレール部で前記障子の戸車が案内される、前記（Ａ）の下枠本体に前記（ａ）の下枠上面部材および前記（ｂ）のレール部材を取り付けて前記下枠が構成され、かつ当該レール部材で前記障子の戸車が案内される、または前記（Ｂ）の下枠本体に前記（ａ）の下枠上面部材、前記（ｂ）のレール部材および前記（ｃ）の中間支持部材を取り付けて前記下枠が構成され、かつ当該レール部材で前記障子の戸車が案内されてもよい。
【００１０】
このような構成によれば、（Ａ）および（Ｂ）２種類の下枠本体と、（ａ）の下枠上面部材および（ｂ）のレール部材とを適宜組み合わせ、さらには（ｃ）の中間支持部材も適宜組み合わせることで、少なくとも３種類の下枠を構成することができる。従って、部品の共通化を促進させつつバリエーションをさらに増やすことができるとともに、利用者の要望や設計条件に対して柔軟に対応することが可能な建具を構成することができる。
【００１１】
さらに、本発明の建具では、前記障子の下端には下方に延びる垂下片が形成され、前記（ｂ）のレール部材における室外側および室内側の少なくとも一方の側面には、気密材が取り付けられており、前記障子は、（Ｘ）前記垂下片に気密材が取り付けられた障子、および（Ｙ）前記垂下片の内側面が平坦に形成された障子のいずれか一方からなり、前記下枠本体に前記（ｂ）のレール部材を取り付けないで前記下枠が構成された場合には、当該下枠本体のレール部に前記（Ｘ）の障子が支持され、かつ当該レール部の側面に前記垂下片の気密材が当接し、前記下枠本体に前記（ｂ）のレール部材を取り付けて前記下枠が構成された場合には、当該レール部材に前記（Ｙ）の障子が支持され、かつ当該レール部材の気密材に前記垂下片の内側面が当接することが好ましい。
【００１２】
このような構成によれば、下枠本体で下枠を構成するとともに（Ｘ）の障子を用いた場合には、障子の垂下片に取り付けた気密材とレール部とで気密ラインが形成され、下枠における水密性および気密性を確保することができる。
一方、下枠本体に下枠上面部材やレール部材を取り付けて下枠を構成するとともに（Ｙ）の障子を用いた場合には、レール部材に取り付けた気密材と障子の垂下片とで気密ラインが形成され、下枠における水密性および気密性を確保することができる。そして、レール部材に気密材を取り付けたことで、障子の垂下片に気密材保持部等を形成する必要がなくなり、垂下片の見込み寸法（厚さ寸法）を薄くすることができ、これにより、垂下片が挿入される下枠上面の溝の幅寸法を小さくして、下枠上面のフラット感をより一層高めることができる。
【００１３】
また、本発明の建具では、前記下枠本体における前記室外側のレール部よりも室外側には、網戸レール部が形成されており、（ｄ）前記網戸レール部の上側で前記下枠上面部材と略同一高さ位置に取付可能な網戸レール部材が予め用意され、前記下枠本体に前記（ａ）の下枠上面部材および前記（ｂ）のレール部材を取り付けないで前記下枠が構成された場合には、当該下枠本体の網戸レール部に網戸が支持され、前記下枠本体に少なくとも前記（ａ）の下枠上面部材および前記（ｂ）のレール部材を取り付けて前記下枠が構成された場合には、前記網戸レール部の上側に前記（ｄ）の網戸レール部材を取り付けて、当該網戸レール部材に網戸が支持されることが好ましい。
このような構成によれば、下枠本体に下枠上面部材やレール部材を取り付けて下枠を構成する際に、網戸レール部の上側に網戸レール部材を取り付けることで、この網戸レール部材の上端が下枠上面部材やレール部材の上端と略同一高さに位置するため、下枠の上面をさらにフラット化することができる。
【００１４】
一方、本発明の建具の施工方法は、上枠、下枠、および左右の縦枠を有する窓枠と、この窓枠内側に開閉自在に支持される少なくとも室内外一対の障子とを備えた建具の施工方法であって、室内外一対のレール部を有した下枠本体と、（ａ）前記下枠本体の一対のレール部間に取付可能かつ当該下枠の上面を形成可能な下枠上面部材と、（ｂ）前記レール部の上方で前記下枠上面部材と略同一高さ位置に当該下枠上面部材との間に隙間を介して取付可能な一対のレール部材と、を用意する工程と、前記下枠を構成する部材として、前記下枠本体と、前記下枠本体、前記（ａ）の下枠上面部材および前記（ｂ）のレール部材と、のいずれかを選択する工程と、前記上枠および左右の縦枠と、前記選択された下枠とを組み立てて前記窓枠を形成する工程とを備えたことを特徴とする。
【００１５】
このような本発明によれば、前述の建具と同様に、下枠本体を共通化して建具のバリエーションを増やすことができる。さらに、排水性や止水性を確保しつつ、良好なフラット感を有した下枠上面を形成することができる。
【００１６】
さらに、本発明の建具の施工方法では、前記下枠本体は、（Ａ）前記一対のレール部の上端が互いに略同一高さ位置に形成された下枠本体、および（Ｂ）前記一対のレール部のうち、室外側のレール部の上端が室内側のレール部の上端よりも低い位置に形成された下枠本体のいずれか一方からなることが好ましい。
また、本発明の建具の施工方法は、上枠、下枠、および左右の縦枠を有する窓枠と、この窓枠内側に開閉自在に支持される少なくとも室内外一対の障子とを備えた建具の施工方法であって、（Ａ）室内外一対のレール部を有し、これら一対のレール部の上端が互いに略同一高さ位置に形成された下枠本体と、（Ｂ）室内外一対のレール部を有し、これら一対のレール部のうち、室外側のレール部の上端が室内側のレール部の上端よりも低い位置に形成された下枠本体と、を用意する工程と、（ａ）前記下枠本体の一対のレール部間に取付可能かつ当該下枠の上面を形成可能な下枠上面部材と、（ｂ）前記レール部の上方で前記下枠上面部材と略同一高さ位置に当該下枠上面部材との間に隙間を介して取付可能な一対のレール部材と、（ｃ）前記室外側のレール部の上側に取付可能、かつ前記室外側のレール部材を支持可能な中間支持部材と、を用意する工程と、前記下枠を構成する部材として、前記（Ａ）の下枠本体と、前記（Ｂ）の下枠本体と、前記（Ａ）の下枠本体、前記（ａ）の下枠上面部材および前記（ｂ）のレール部材と、前記（Ｂ）の下枠本体、前記（ａ）の下枠上面部材、前記（ｂ）のレール部材および前記（ｃ）の中間支持部材と、のいずれかを選択する工程と、前記上枠および左右の縦枠と、前記選択された下枠とを組み立てて前記窓枠を形成する工程とを備えたものでもよい。
【００１７】
このような本発明によれば、（Ａ）および（Ｂ）２種類の下枠本体と、（ａ）の下枠上面部材および（ｂ）のレール部材とを適宜組み合わせ、さらには（ｃ）の中間支持部材も適宜組み合わせることで、部品の共通化を一層促進させて建具のバリエーションをさらに増やすことができる。
【００１８】
さらに、本発明の建具の施工方法では、前記障子の下端には下方に延びる垂下片が形成され、前記（ｂ）のレール部材における室外側および室内側の少なくとも一方の側面には、気密材が取り付けられており、（Ｘ）前記垂下片に気密材が取り付けられた障子と、（Ｙ）前記垂下片の内側面が平坦に形成された障子と、を用意する工程を備え、前記下枠本体に前記（ａ）の下枠上面部材および前記（ｂ）のレール部材を取り付けないで前記下枠を構成した場合には、前記（Ｘ）の障子を選択して前記窓枠に組み込むとともに、当該下枠本体のレール部の側面に前記垂下片の気密材を当接させ、前記下枠本体に前記（ｂ）のレール部材を取り付けて前記下枠を構成した場合には、前記（Ｙ）の障子を選択して前記窓枠に組み込むとともに、当該（ｂ）のレール部材の気密材に前記垂下片の内側面を当接させることが好ましい。
このような構成によれば、（Ｘ）および（Ｙ）のいずれの障子を用いた場合においても、障子とレール部またはレール部材との間に気密ラインを形成することができ、下枠における水密性および気密性を確保することができる。なお、（Ｙ）の障子を用いた場合には、レール部材に気密材を取り付けたことで、障子の垂下片に気密材保持部等を形成する必要がなくなり、垂下片の見込み寸法（厚さ寸法）を薄くすることができ、これにより、垂下片が挿入される下枠上面の溝の幅寸法を小さくして、下枠上面のフラット感をより一層高めることができる。
【発明を実施するための最良の形態】
【００１９】
以下、本発明の実施形態を図面に基づいて説明する。
図１は、本発明の実施形態に係る建具である引違い窓１を示す縦断面図である。
図１において、引違い窓１は、戸建て住宅等の建物の外壁開口部に設けられて建物の室内空間と室外空間とを仕切るもので、気密性や水密性、遮音性等について所定の性能を有している。そして、引違い窓１の下枠１２は、上面が室外側のテラスやバルコニに設置されるデッキ２の上面および室内床面ＦＬと略同一の高さ位置に設けられ、上面略平坦（フラット）に形成されている。従って、居住者が引違い窓１を通って室内外間を往来する際に、室内外床レベルの段差がないので上り下りする必要がなく、楽に出入りできるとともに、車いすを利用する居住者であっても容易に出入りできるようになっている。すなわち、引違い窓１は、室内外の床段差を小さくした、バリアフリータイプ（ユニバーサルデザイン）の掃出し窓である。
【００２０】
引違い窓１は、それぞれアルミ押出形材製の上枠１１、下枠１２、および左右の縦枠１３を四周枠組みした窓枠１０と、この窓枠１０の内側に開閉自在に支持された室内外一対の障子１５とを備えて構成されている。窓枠１０は、建物の外壁開口部における柱や壁パネル等の建物躯体に固定されている。障子１５は、それぞれアルミ押出形材製の上框１６、下框１７、および左右の縦框１８を四周框組みした内部に、ガラスパネル（複層ガラス）１９を嵌め込んで構成されている。また、障子１５の室外側には、網戸２０が窓枠１０内に開閉自在に支持されている。網戸２０は、四周枠組みされた網戸枠２１と、この網戸枠２１に固定されたネット２２とを有して構成されている。障子１５は、室内側の障子１５Ａと室外側の障子１５Ｂとからなり、室内外の障子１５Ａ，１５Ｂが、窓枠１０の略中央位置の召合せ部分で重なって閉じるようになっている。
そして、本実施形態において、下枠１２は、後述する４種類の形態の下枠１２Ａ，１２Ｂ，１２Ｃ，１２Ｄが適用可能に構成されている。
【００２１】
以下、第１形態の下枠１２について、図２および図３に基づいて説明する。
図２は、下枠１２Ａを拡大して示す縦断面図である。図３は、下枠１２Ａを分解して示す縦断面図である。
下枠１２Ａは、建物の開口部に固定される下枠本体１２１と、この下枠本体１２１に取り付けられて障子１５の戸車１７１を案内する室内側および室外側のレール部材３０（３０Ａ，３０Ｂ）と、これら室内外の各レール部材３０Ａ，３０Ｂの室外側側面に取り付けられて障子１５の下框１７に当接する室内側および室外側の気密材３１（３１Ａ，３１Ｂ）と、室内外の各レール部材３０Ａ，３０Ｂ間に着脱自在に下枠本体１２１に取り付けられたレール間上面部材（下枠上面部材）３２と、室内側レール部材３０Ａよりも室内側に着脱自在に設けられた室内側上面部材３３と、室外側レール部材３０Ｂよりも室外側に着脱自在に設けられた網戸レール部材３４とを備えて構成されている。
【００２２】
下枠１２Ａにおいて、下枠本体１２１の上面部１２４、室内外のレール部材３０Ａ，３０Ｂの上端（戸車案内部３０２）、レール間上面部材３２の上面、および網戸レール部材３４の上面は、それぞれ略同一高さ位置に設けられている。また、室内側レール部材３０Ａと室内側上面部材３３との間、および室内側の気密材３１Ａとレール間上面部材３２との間には、それぞれ隙間が形成されており、これらの隙間には、室内側障子１５Ａにおける下框１７に形成された室内外の垂下片１７２がそれぞれ挿入されている。これと同様に、室外側レール部材３０Ｂとレール間上面部材３２との間、および室外側の気密材３１Ｂと網戸レール部材３４との間には、それぞれ隙間が形成されており、これらの隙間には、室外側障子１５Ｂにおける下框１７に形成された室内外の垂下片１７２がそれぞれ挿入されている。これらの隙間寸法は、垂下片１７２を挿入するための最小限の寸法に設定されている。
【００２３】
下枠本体１２１は、室内外一対のレール部としての立上り片部１２２（１２２Ａ，１２２Ｂ）と、室内側立上り片部１２２Ａの室内側にて上下に延びる室内側側壁部１２３と、この室内側側壁部１２３の上端縁から室内側に延びる上面部１２４とを有している。さらに、下枠本体１２１は、室内側立上り片部１２２Ａ下端から室外側下方に傾斜して延びる傾斜面部１２５と、この傾斜面部１２５の室外側縁から下方に延びる固定面部１２６と、傾斜面部１２５の室外側縁よりも一段下がった位置から室外側に延びて室外側立上り片部１２２Ｂに連結された底面部１２７とを有して形成されている。そして、室外側立上り片部１２２Ｂの室外側には、室外側立上り片部１２２Ｂの途中位置から室外側に延びる水平面部１２８と、この水平面部１２８の室外側端縁から上方に延びる立上り片部（網戸レール部）１２９とが形成されている。そして、下枠本体１２１における室内外の立上り片部１２２Ａ，１２２Ｂの上端は、互いに略同一高さ位置に設けられている。
【００２４】
そして、下枠本体１２１における室内側立上り片部１２２Ａと室内側側壁部１２３との間には、上方に開口した室内側凹溝部１２１Ａが形成されている。また、室内側立上り片部１２２Ａと室外側立上り片部１２２Ｂとの間には、上方に開口したレール間凹溝部１２１Ｂが形成され、このレール間凹溝部１２１Ｂの下方には、底面部１２７で仕切られた下枠内部空間１２１Ｃが形成されている。さらに、室外側立上り片部１２２Ｂと立上り片部（網戸レール部）１２９との間には、上方に開口した室外側凹溝部１２１Ｄが形成されている。そして、室内側立上り片部１２２Ａおよび室外側立上り片部１２２Ｂには、下枠１２Ａの長手方向に沿った適宜な間隔で排水開口が形成されており、室内側凹溝部１２１Ａに浸入した雨水や結露水等は、室内側立上り片部１２２Ａに形成した排水開口を介してレール間凹溝部１２１Ｂに流れるとともに、レール間凹溝部１２１Ｂに浸入した雨水や結露水等は、室外側立上り片部１２２Ｂに形成した排水開口、および図示しない排水弁を介して室外空間に排水されるようになっている。そして、後述するレール間上面部材３２の側面部３２３，３２４、および室内側上面部材３３の下端側は、前述の排水経路に応じて適宜切り欠かれている。
このような下枠本体１２１は、室内側側壁部１２３の下端部が建物躯体に載置されるとともに、固定面部１２６が建物躯体にビス止め固定されて建物開口部に支持されるようになっている。
【００２５】
次に、室内側および室外側のレール部材３０Ａ，３０Ｂは、それぞれアルミ押出形材製で同一断面に形成され、上面部３０１と、この上面部３０１から上方に突出した戸車案内部３０２と、上面部３０１から下方に突出した室内側の第１側壁部３０３および室外側の第２側壁部３０４とを有している。そして、室内外の各レール部材３０Ａ，３０Ｂは、第１および第２の側壁部３０３，３０４で室内外の立上り片部１２２Ａ，１２２Ｂを挟持することで下枠本体１２１に着脱自在に取り付けられている。さらに、室内側レール部材３０Ａは、第１および第２の側壁部３０３，３０４下端が室内側立上り片部１２２Ａの側面に形成された支持片部１２２Ｃに当接することで支持され、室外側レール部材３０Ｂは、第１側壁部３０３下端が室外側立上り片部１２２Ｂの側面に形成された支持片部１２２Ｃに当接し、第２側壁部３０４下端が網戸レール部材３４の上面に当接することで支持されるようになっている。また、各レール部材３０Ａ，３０Ｂの第２側壁部３０４の室外側側面には、断面略Ｃ字形の気密材保持部が形成されている。
【００２６】
気密材３１は、例えば塩化ビニル（ＰＶＣ）等の弾性材料から形成され、室内外の気密材３１Ａ，３１Ｂは、それぞれ室内外のレール部材３０Ａ，３０Ｂの気密材保持部に保持されている。そして、室内外の気密材３１Ａ，３１Ｂは、それぞれ室内外の障子１５Ａ，１５Ｂにおける室外側垂下片１７２の室内側側面（内側面）に当接するようになっており、この気密材３１と障子１５の垂下片１７２との当接により下枠１２Ａにおける横気密ラインが形成されるようになっている。
【００２７】
次に、レール間上面部材３２は、略水平に形成された上面部３２１と、この上面部３２１に対向して略水平に形成された底面部３２２と、上面部３２１および底面部３２２に連続して下方に延びる室内側および室外側の側面部３２３，３２４と、を有して形成されたアルミ押出形材製の部材である。そして、レール間上面部材３２における室内側側面部３２３の下端部には、鉤状に折れ曲がった係合片部３２５が形成されており、この係合片部３２５を下枠本体１２１の傾斜面部１２５の室外側端部に係合するとともに、室外側側面部３２４の下端を下枠本体１２１の底面部１２７に載置することで、レール間上面部材３２が下枠本体１２１に支持されるようになっている。このようにして下枠本体１２１に取り付けられたレール間上面部材３２によってレール間凹溝部１２１Ｂが塞がれて下枠１２Ａの上面が略平坦に形成されている。また、レール間上面部材３２を下枠本体１２１から取り外してレール間凹溝部１２１Ｂを上方に開口させることで、掃除機等を用いてレール間凹溝部１２１Ｂ内の清掃を容易に行うことができるようになっている。
【００２８】
また、室内側上面部材３３は、下枠本体１２１における室内側側壁部１２３に沿って下方に延び、その下端部が室外側に延びるとともに上方に折れ曲がった凹溝状に形成されている。そして、室内側上面部材３３の上面は、下枠本体１２１の上面部１２４と略同一の高さ位置に設けられている。このような室内側上面部材３３によれば、室内側凹溝部１２１Ａに入ったゴミや埃が室内側上面部材３３に溜まるようになっている。そして、室内側上面部材３３を下枠本体１２１から取り外すことで、溜まったゴミや埃を排出できて室内側凹溝部１２１Ａの清掃を容易に行うことができるようになっている。
【００２９】
また、網戸レール部材３４は、室外側立上り片部１２２Ｂの支持片部１２２Ｃと略同一高さ位置に形成された上面部３４１と、この上面部３４１から上方に立ち上がる２つの立上片部３４２，３４３と、上面部３４１から下方に延びる２つの脚部３４４，３４５とを有して形成されている。この網戸レール部材３４は、下枠本体１２１における室外側立上り片部１２２Ｂと立上り片部１２９との間に係合されるとともに、水平面部１２８に脚部３４４，３４５が支持されて下枠本体１２１に取り付けられている。そして、２つの立上片部３４２，３４３のうちの室外側の立上片部３４３の上端によって、網戸２０の戸車を案内できるようになっている。また、室内外の立上片部３４２，３４２同士の間に、網戸枠２１下端の垂下片が挿入されており、この垂下片が立上片部３４２，３４３に案内されることで、網戸２０を開閉操作した際に戸車が脱輪しないようになっている。このような網戸レール部材３４によって、下枠本体１２１の室外側凹溝部１２１Ｄが塞がれて下枠１２Ａの上面が略平坦に形成されている。また、網戸レール部材３４を下枠本体１２１から取り外して室外側凹溝部１２１Ｄを上方に開口させることで、掃除機等を用いて室外側凹溝部１２１Ｄの清掃を容易に行うことができるようになっている。
【００３０】
次に、第２形態の下枠１２Ｂについて、図４に基づいて説明する。
図４は、下枠１２Ｂを拡大して示す縦断面図である。
下枠１２Ｂは、前述の下枠１２Ａに用いたものと同一の下枠本体１２１と、この下枠本体１２１に取り付けられるレール間アタッチメント３５とを有して構成されている。すなわち、下枠１２Ｂは、下枠１２Ａの下枠本体１２１から室内外のレール部材３０Ａ，３０Ｂ、室内外の気密材３１Ａ，３１Ｂ、レール間上面部材３２、室内側上面部材３３、および網戸レール部材３４を取り外し、下枠本体１２１にレール間アタッチメント３５を取り付けて構成したものである。また、下枠１２として下枠１２Ｂを適用した場合には、障子１５として室内側障子１５Ｃおよび室外側障子１５Ｄが窓枠１０内に組み込まれるようになっている。第２形態の下枠１２Ｂにおいて、下枠本体１２１に形成される排水開口は、前述の第１形態と同一位置に設けられており、室内側凹溝部１２１Ａやレール間凹溝部１２１Ｂに浸入した雨水や結露水等は、第１形態と同様の排水経路で排水されるようになっている。
【００３１】
室内外の障子１５Ｃ，１５Ｄは、それぞれ下枠本体１２１における室内外の立上り片部１２２Ａ，１２２Ｂに戸車１７１が案内されるようになっている。すなわち、室内外の立上り片部１２２Ａ，１２２Ｂによって室内外一対のレール部が構成されている。
室内外の障子１５Ｃ，１５Ｄの下框１７における室内外の側面には、下方に延出した垂下片１７３が形成されており、これら室内外の垂下片１７３のうち、室外側の垂下片１７３の室内側側面に断面略Ｃ字形の気密材保持部が形成されている。この気密材保持部には、前述の気密材３１と略同様の気密材１７４が取り付けられており、これらの気密材１７４は、それぞれ室内外の立上り片部１２２Ａ，１２２Ｂの室外側側面に当接するようになっている。このような気密材１７４と室内外の立上り片部（レール部）１２２Ａ，１２２Ｂとの当接により、下枠１２Ｂにおける横気密ラインが形成されるようになっている。
また、網戸２０’は、下枠本体１２１における立上り片部１２９に戸車が案内されるようになっている。すなわち、立上り片部１２９によって網戸レール部が構成されている。
【００３２】
レール間アタッチメント３５は、略水平に形成された上面部３５１と、この上面部３５１から下方に延びる室内側および室外側の脚部３５２，３５３と、を有して形成されたアルミ押出形材製の部材である。そして、レール間アタッチメント３５における室内側脚部３５２の下端部には、前述のレール間上面部材３２と同様に鉤状に折れ曲がった係合片部３５４が形成されており、この係合片部３５４を下枠本体１２１の傾斜面部１２５の室外側端部に係合するとともに、室外側脚部３５３の下端を下枠本体１２１の底面部１２７に載置することで、レール間アタッチメント３５が下枠本体１２１に支持されるようになっている。このようにして下枠本体１２１に取り付けられたレール間アタッチメント３５によってレール間凹溝部１２１Ｂが塞がれて下枠１２Ｂ上面の段差が小さくされている。また、レール間アタッチメント３５を下枠本体１２１から取り外してレール間凹溝部１２１Ｂを上方に開口させることで、レール間凹溝部１２１Ｂ内の清掃が実施できるようになっている。
【００３３】
次に、第３形態の下枠１２Ｃについて、図５および図６に基づいて説明する。
図５は、下枠１２Ｃを拡大して示す縦断面図である。図６は、下枠１２Ｃを分解して示す縦断面図である。
下枠１２Ｃは、前述の下枠１２Ａと相違する下枠本体５２１と、この下枠本体５２１に取り付けられる前述と同一の室内外のレール部材３０Ａ，３０Ｂ、室内外の気密材３１Ａ，３１Ｂ、レール間上面部材３２、室内側上面部材３３、および網戸レール部材３４とを有して構成されている。そして、室外側レール部材３０Ｂ、および網戸レール部材３４は、中間支持部材３６を介して下枠本体５２１に取り付けられている。また、窓枠１０内に組み込まれる障子１５は、第１形態の下枠１２Ａを適用した場合と同様に、室内側障子１５Ａおよび室外側障子１５Ｂから構成され、これら室内外の障子１５Ａ，１５Ｂは、それぞれ室内外のレール部材３０Ａ，３０Ｂに案内されるようになっている。
【００３４】
下枠本体５２１は、室内外一対のレール部としての立上り片部５２２（５２２Ａ，５２２Ｂ）を有して形成されており、この室外側立上り片部５２２Ｂの上端は、室内側立上り片部５２２Ａの上端よりも低い位置に設けられている。そして、下枠本体５２１は、前述の下枠本体１２１の室内側側壁部１２３、上面部１２４、傾斜面部１２５、固定面部１２６、および底面部１２７と略同様の、室内側側壁部５２３、上面部５２４、傾斜面部５２５、固定面部５２６、および底面部５２７を有して形成されている。そして、室外側立上り片部５２２Ｂの室外側には、底面部５２７よりも低い位置で室外側に延びる水平面部５２８と、この水平面部５２８の室外側端縁から上方に延びる立上り片部（網戸レール部）５２９とが形成されている。
【００３５】
そして、下枠本体５２１には、室内側凹溝部５２１Ａと、室内側立上り片部５２２Ａと室外側立上り片部５２２Ｂとの間にて上方に開口したレール間凹溝部５２１Ｂと、底面部５２７および水平面部５２８の下側に形成された下枠内部空間５２１Ｃと、室外側立上り片部５２２Ｂと立上り片部（網戸レール部）５２９との間にて上方に開口した室外側凹溝部５２１Ｄとが設けられている。そして、室内側立上り片部５２２Ａ、室外側立上り片部５２２Ｂ、および立上り片部５２９には、下枠１２Ｃの長手方向に沿った適宜な間隔で排水開口が形成されており、室内側凹溝部５２１Ａやレール間凹溝部５２１Ｂに浸入した雨水や結露水等は、排水開口を介して室外側凹溝部５２１Ｄに流れるとともに、室外側凹溝部５２１Ｄに浸入した雨水や結露水等は、立上り片部５２９に形成した排水開口および図示しない排水弁を介して室外空間に排水されるようになっている。そして、レール間上面部材３２の側面部３２３，３２４、室内側上面部材３３、および中間支持部材３６の下端側は、前述の排水経路に応じて適宜切り欠かれている。
【００３６】
中間支持部材３６は、略水平に形成された上面部３６１と、この上面部３６１から上方に延びる室内側および室外側の立上り片部３６２，３６３と、室内側立上り片部３６２の下側に形成された係止部３６４と、室外側立上り片部３６３に連続して上面部３６１よりも下方に延びる脚部３６５と、を有して形成されたアルミ押出形材製の部材である。さらに、中間支持部材３６の室内側立上り片部３６２の上端部には、レール部材３０が係合可能なレール部材係合部３６２Ａが形成され、室内側立上り片部３６２の高さ方向中間位置には、レール部材３０の第１側壁部３０３下端を支持する支持片部３６２Ｂが形成されている。そして、中間支持部材３６は、係止部３６４で下枠本体５２１の室外側立上り片部５２２Ｂの上端に係止するとともに、脚部３６５の下端を下枠本体５２１の水平面部５２８に載置することで、下枠本体５２１に支持されるようになっている。このようにして下枠本体５２１に取り付けられた中間支持部材３６のレール部材係合部３６２Ａに室外側レール部材３０Ｂが係合されている。さらに、室内外の立上り片部３６２，３６３間に網戸レール部材３４が係合されるとともに、上面部３６１に網戸レール部材３４の脚部３４４，３４５が支持されることで、網戸レール部材３４が取り付けられるようになっている。
【００３７】
次に、第４形態の下枠１２Ｄについて、図７に基づいて説明する。
図７は、下枠１２Ｄを拡大して示す縦断面図である。
下枠１２Ｄは、前述の下枠１２Ｃに用いたものと同一の下枠本体５２１で構成されている。すなわち、下枠１２Ｄは、下枠１２Ｃの下枠本体５２１から室内外のレール部材３０Ａ，３０Ｂ、室内外の気密材３１Ａ，３１Ｂ、レール間上面部材３２、室内側上面部材３３、網戸レール部材３４、および中間支持部材３６を取り外して構成したものである。また、窓枠１０内に組み込まれる障子１５は、第２形態の下枠１２Ｂを適用した場合と略同様に、室内側障子１５Ｃおよび室外側障子１５Ｄと略同様の室外側障子１５Ｄ’から構成されている。第４形態の下枠１２Ｄにおいて、下枠本体５２１に形成される排水開口は、前述の第３形態と同一位置に設けられており、室内側凹溝部５２１Ａやレール間凹溝部５２１Ｂ、室外側凹溝部５２１Ｄに浸入した雨水や結露水等は、第３形態の場合と同様の排水経路で排水弁を介さずに排水されるようになっている。
【００３８】
室内外の障子１５Ｃ，１５Ｄ’は、それぞれ下枠本体５２１における室内外の立上り片部５２２Ａ，５２２Ｂに戸車１７１が案内されるようになっている。すなわち、室内外の立上り片部５２２Ａ，５２２Ｂによって室内外一対のレール部が構成されている。
そして、室内外の障子１５Ｃ，１５Ｄ’の下框１７，１７’における垂下片１７３，１７３’に取り付けられた気密材１７４は、それぞれ室内外の立上り片部５２２Ａ，５２２Ｂの室外側側面に当接するようになっている。このような気密材１７４と室内外の立上り片部（レール部）５２２Ａ，５２２Ｂとの当接により、下枠１２Ｄにおける横気密ラインが形成されるようになっている。
また、網戸２０’と略同一構造の網戸２０’’は、下枠本体５２１における立上り片部５２９に戸車が案内されるようになっている。すなわち、立上り片部５２９によって網戸レール部が構成されている。
【００３９】
以上のような引き違い窓１の施工方法について以下に説明する。
先ず、第１形態および第２形態の下枠１２Ａ，１２Ｂを構成する下枠本体（（Ａ）の下枠本体）１２１と、第３形態および第４形態の下枠１２Ｃ，１２Ｄを構成する下枠本体（（Ｂ）の下枠本体）５２１と、上枠１１、縦枠１３とを工場で製造して用意する。
また、第１形態および第３形態の下枠１２Ａ，１２Ｃを構成するレール間上面部材（（ａ）の下枠上面部材）３２、レール部材（（ｂ）のレール部材）３０、室内側上面部材３３、および網戸レール部材（（ｄ）の網戸レール部材）３４を工場で製造して用意する。
さらに、第３形態の下枠１２Ｃを構成する中間支持部材（（ｃ）の中間支持部材）３６と、第２形態の下枠１２Ｂを構成するレール間アタッチメント３５とを工場で製造して用意する。
また、第１形態および第３形態の下枠１２Ａ，１２Ｃに対応した障子１５Ａ，１５Ｂと、第２形態および第４形態の下枠１２Ｂ，１２Ｄに対応した障子１５Ｃと、第２形態に対応した障子１５Ｄと、第４形態に対応した障子１５Ｄ’を工場で製造して用意する。
【００４０】
次に、設計条件に応じて下枠１２の形態として、第１〜第４形態の下枠１２Ａ，１２Ｂ，１２Ｃ，１２Ｄのいずれかを選択する。
すなわち、第１形態の下枠１２Ａを選択した場合には、下枠本体１２１と、レール部材３０、気密材３１、レール間上面部材３２、室内側上面部材３３、および網戸レール部材３４とを選択する。
第２形態の下枠１２Ｂを選択した場合には、下枠本体１２１と、レール間アタッチメント３５とを選択する。
第３形態の下枠１２Ｃを選択した場合には、下枠本体５２１と、レール部材３０、気密材３１、レール間上面部材３２、室内側上面部材３３、および網戸レール部材３４と、中間支持部材３６とを選択する。
第４形態の下枠１２Ｄを選択した場合には、下枠本体５２１を選択する。
【００４１】
次に、選択した各部材を組み立てて窓枠１０を形成するとともに、建物開口部に窓枠１０を固定する。そして、下枠１２が第１および第３形態の下枠１２Ａ，１２Ｃである場合には、障子１５Ａ，１５Ｂを窓枠１０に組み込み、下枠１２が第２および第４形態の下枠１２Ｂ，１２Ｄである場合には、障子１５Ｃ，１５Ｄ，１５Ｄ’を窓枠１０に組み込んで引違い窓１の施工が完了する。
なお、レール部材３０、気密材３１、レール間上面部材３２、室内側上面部材３３、および網戸レール部材３４や、レール間アタッチメント３５、中間支持部材３６等を、工場において下枠本体１２１，５２１に取り付けてもよく、また、建設現場にて建物開口部に固定された後の窓枠１０における下枠本体１２１，５２１に取り付けてもよい。
【００４２】
このような本実施形態によれば、以下のような効果がある。
（１）すなわち、レール部材３０、気密材３１、レール間上面部材３２、室内側上面部材３３、および網戸レール部材３４を下枠本体１２１、５２１に取り付けて下枠１２上面をフラット面化したり（第１および第３形態）、これらの各部材を下枠本体１２１，５２１に取り付けないでフラット化したり（第２形態）、フラット化しなかったり（第４形態）が選択でき、下枠本体１２１，５２１を共通化しつつ引違い窓１のバリエーションを増やすことができる。従って、利用者の要望や設計条件に対して柔軟に対応することが可能な引違い窓１を構成することができる。
【００４３】
（２）そして、下枠本体１２１にレール間上面部材３２、室内側上面部材３３およびレール部材３０を取り付けて下枠１２Ａ上面をフラット面化した場合（第１形態）、および下枠本体５２１にレール間上面部材３２、室内側上面部材３３、中間支持部材３６、およびレール部材３０を取り付けて下枠１２Ｃ上面をフラット化した場合（第３形態）において、レール間上面部材３２や一対のレール部材３０等の各部材がそれぞれ別体で構成されていることから、下枠本体１２１，５２１に形成する排水開口や、レール間上面部材３２および室内側上面部材３３の下端側に形成する切欠き等の加工作業がしやすく、排水開口や切欠きの加工位置が制限されないので、排水性や止水性を高めることができる。
【００４４】
（３）さらに、下枠本体１２１，５２１における室内外の立上り片部１２２，５２２間に上面がフラットなレール間上面部材３２を取り付けるとともに、このレール間上面部材３２とレール部材３０との隙間を必要最小限に設定することで、下枠１２上面を足で踏んだ際の違和感や車いすで通過する際のがたつきを低減して、下枠１２のフラット感を一層高めることができる。そして、室内側上面部材３３や網戸レール部材３４の上端とレール間上面部材３２およびレール部材３０の上端とが略同一高さ位置に設けられているので、より一層フラット感を向上させることができる。
【００４５】
（４）また、下枠１２上面をフラット化した場合には気密材３１と障子１５の垂下片との当接により横気密ラインが形成され、フラット化しなかった場合には障子１５の垂下片の気密材１７４と室内外の立上り片部１２２，５２２との当接により横気密ラインが形成されるので、いずれにおいても下枠１２における水密性や気密性を確保することができる。
【００４６】
なお、本発明は、前記実施形態に限定されるものではなく、本発明の目的を達成できる他の構成等を含み、以下に示すような変形等も本発明に含まれる。
例えば、前記実施形態においては、室内外一対の障子１５を有した引違い窓１を例示して説明したが、本発明の建具はこのような引違い窓１に限られない。すなわち、本発明の建具は、３枚以上の障子を有する３枚建てや４枚建ての引違い窓でもよく、また、前記実施形態における一方の障子が窓枠に固定された片引き窓でもよい。
【００４７】
また、前記実施形態では、下枠本体を２種類（（Ａ）および（Ｂ）の下枠本体１２１，５２１）用意したが、これに限らず、１種類の下枠本体（（Ａ）および（Ｂ）のいずれか一方の下枠本体）を用意しておき、その下枠本体のみで下枠を構成してもよく、また、その下枠本体にレール部材やレール間上面部材等を取り付けて下枠を構成してもよい。また、３種類以上の下枠本体を用意しておいてもよい。
さらに、下枠本体に取り付ける部材としては、レール部材３０、気密材３１、レール間上面部材３２、室内側上面部材３３、および網戸レール部材３４のうち、少なくともレール部材３０およびレール間上面部材（下枠上面部材）３２があればよく、他の部材は本発明の必須要件ではないので省略することができる。
【００４８】
また、前記実施形態では、２種類の下枠本体１２１，５２１を用意するとともに、これらの下枠本体１２１，５２１に対して共通化されたレール部材３０およびレール間上面部材３２を用意しておき、これらの各部材の組み合わせによって第１〜第４形態の４種類の下枠１２Ａ，１２Ｂ，１２Ｃ，１２Ｄを構成したが、これに限られない。
すなわち、２種類の下枠本体１２１，５２１、およびレール部材３０やレール間上面部材３２等を用意しておき、下枠本体１２１にレール部材３０やレール間上面部材３２を取り付けた下枠１２Ａと、下枠本体１２１のみで構成される下枠１２Ｂと、下枠本体５２１のみで構成される下枠１２Ｄと、からなる３種類の下枠１２Ａ，１２Ｂ，１２Ｄを構成してもよい。
さらに、２種類の下枠本体１２１，５２１と、レール間上面部材３２および室内側レール部材３０Ａと、図８に示すような室外側レール部材３０Ｃおよび網戸レール部材３４Ａとを用意しておき、下枠本体５２１にレール間上面部材３２、室内側レール部材３０Ａ、室外側レール部材３０Ｃ、および網戸レール部材３４Ａを取り付けた下枠１２Ｅと、下枠本体１２１のみで構成される下枠１２Ｂと、下枠本体５２１のみで構成される下枠１２Ｄと、からなる３種類の下枠１２Ａ，１２Ｂ，１２Ｅを構成してもよい。ここで、室外側レール部材３０Ｃは、前記レール部材３０と前記中間支持部材３６とを一体化させた断面と略同様の断面を有して形成され、下枠本体５２１の室外側立上り片部５２２Ｂの上端と水平面部５２８とに支持されるようになっている。
また、下枠１２Ａ，１２Ｂ，１２Ｃ，１２Ｄ，１２Ｅにおいて、排水経路用に設ける排水開口としては、下枠本体１２１，５２１の立上り片部１２２，１２９，５２２，５２９等を貫通する孔でもよく、また立上り片部１２９，５２２，５２９等の左右端部や途中部分を切除して形成された開口でもよい。
【００４９】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００５０】
【図１】本発明の実施形態に係る建具を示す縦断面図である。
【図２】前記建具の下枠を拡大して示す縦断面図である。
【図３】前記下枠を分解して示す縦断面図である。
【図４】図２、３と相違する下枠を拡大して示す縦断面図である。
【図５】図２〜４と相違する下枠を拡大して示す縦断面図である。
【図６】前記下枠を分解して示す縦断面図である。
【図７】図２〜６と相違する下枠を拡大して示す縦断面図である。
【図８】本発明の変形例に係る建具の下枠を拡大して示す縦断面図である。
【符号の説明】
【００５１】
１０…窓枠、１１…上枠、１２，１２Ａ，１２Ｂ，１２Ｃ，１２Ｄ，１２Ｅ…下枠、１３…縦枠、１５，１５Ａ，１５Ｂ，１５Ｃ，１５Ｄ，１５Ｄ’…障子、３０，３０Ａ，３０Ｂ，３０Ｃ…レール部材、３１，３１Ａ，３１Ｂ…気密材、３２…下枠所面部材であるレール間上面部材、３４，３４Ａ…網戸レール部材、３６…中間支持部材、１２１，５２１…下枠本体、１２２，１２２Ａ，１２２Ｂ，５２２，５２２Ａ，５２２Ｂ…レール部である立上り片部、１２９，５２９…網戸レール部である立上り片部、１７１…戸車、１７２，１７３，１７３’…垂下片、１７４…気密材。
【図１】
2007016516.tif 000003
【図２】
2007016516.tif 000004
【図３】
2007016516.tif 000005
【図４】
2007016516.tif 000006
【図５】
2007016516.tif 000007
【図６】
2007016516.tif 000008
【図７】
2007016516.tif 000009
【図８】
2007016516.tif 000010